(57)【要約】【課題】目的の商品を間違いなく取り出すことができると共に、特定の種類の商品だけを見せて陳列でき、強度にも優れた包装箱を提供する。【解決手段】身箱１と蓋体２とから成り、身箱１は、底壁３の周囲に二重構造の側壁４，５を設けたトレー状とし、蓋体２は、天壁２１の周囲に蓋側板２２，２３を設けたものとして、身箱１に蓋体２を着脱自在に被せる身蓋分離式の包装箱において、蓋体２の天壁２１及びその両側の蓋側板２２を分割し、隣り合う天壁２１を仕切壁２５を介して繋ぎ、天壁２１と仕切壁２５を構成する各仕切板２６との境界を山折線２７とし、仕切板２６同士の境界を谷折線２８として、仕切板２６同士を重ね合わせ、蓋体２に仕切壁２５を境界とする複数の蓋部２９を形成し、仕切壁２５の両端部を身箱１の対向する側壁４の内面に係合させ、両側の蓋部２９を、山折線２７をヒンジとしてそれぞれ開閉できるようにする。【選択図】図５
2009269667.tif 000002
【特許請求の範囲】
【請求項１】
身箱(1)と蓋体(2)とから成り、身箱(1)は、底壁(3)の周囲に二重構造の側壁(4,5)を設けたトレー状とし、蓋体(2)は、天壁(21)の周囲に蓋側板(22,23)を設けたものとして、身箱(1)に蓋体(2)を着脱自在に被せる身蓋分離式の包装箱において、前記蓋体(2)の天壁(21)及びその両側の蓋側板(22)を分割し、隣り合う天壁(21)を仕切壁(25)を介して繋ぎ、天壁(21)と仕切壁(25)を構成する各仕切板(26)との境界を山折線(27)とし、仕切板(26)同士の境界を谷折線(28)として、仕切板(26)同士を重ね合わせ、蓋体(2)に仕切壁(25)を境界とする複数の蓋部(29)を形成し、仕切壁(25)の両端部を身箱(1)の対向する側壁(4)の内面に係合させ、両側の蓋部(29)を、山折線(27)をヒンジとしてそれぞれ開閉できるようにしたことを特徴とする仕切蓋付き包装箱。
【発明の詳細な説明】
【技術分野】
【０００１】
この発明は、身箱に着脱される蓋体に仕切壁を備え、その両側を独立して開閉できるようにした包装箱に関するものである。
【背景技術】
【０００２】
一般に、ギフト箱として、図１０に示すように、身箱５１と蓋体５２とから成り、身箱５１は、底壁５３の周囲に各一対の二重構造の側壁５４，５５を設けたトレー状とし、蓋体５２は、天壁５６の周囲に各一対の蓋側板５７，５８を設けたものとして、身箱５１に蓋体５２を着脱自在に被せる身蓋分離式の包装箱が使用されている。
【０００３】
また、下記特許文献１には、図１１に示すように、底壁６１の周囲から起立させる各一対の側壁６２，６３のうち、一対の側壁６２に蓋部６４を連設し、これらの蓋部６４を巻き込むように折り曲げて、その先端部同士を突き合わせ、商品を区画して収納する仕切蓋付きの包装箱が記載されている。
【０００４】
【特許文献１】実開昭５９−１２６９２４号公報
【発明の開示】
【発明が解決しようとする課題】
【０００５】
しかしながら、上記のような身蓋分離式の包装箱では、異なる種類の商品を収納して、いずれかの種類の商品を取り出すとき、蓋体を身箱から分離すると、身箱の天面が全面的に開口するため、間違った種類の商品を取り出すことがあるほか、店頭において、特定の種類の商品だけが見えるようにして陳列することができなかった。
【０００６】
また、上記のような仕切蓋付きの包装箱では、底壁の周囲の側壁を二重構造にして、隣接する側壁同士を連結することができず、一方の蓋部を開けたとき、箱の強度が失われるため、重量のある商品の包装には使用できなかった。
【０００７】
そこで、この発明は、目的の商品を間違いなく取り出すことができると共に、特定の種類の商品だけを見せて陳列でき、強度にも優れた包装箱を提供することを課題とする。
【課題を解決するための手段】
【０００８】
上記課題を解決するため、この発明では、身箱と蓋体とから成り、身箱は、底壁の周囲に二重構造の側壁を設けたトレー状とし、蓋体は、天壁の周囲に蓋側板を設けたものとして、身箱に蓋体を着脱自在に被せる身蓋分離式の包装箱において、前記蓋体の天壁及びその両側の蓋側板を分割し、隣り合う天壁を仕切壁を介して繋ぎ、天壁と仕切壁を構成する各仕切板との境界を山折線とし、仕切板同士の境界を谷折線として、仕切板同士を重ね合わせ、蓋体に仕切壁を境界とする複数の蓋部を形成し、仕切壁の両端部を身箱の対向する側壁の内面に係合させ、両側の蓋部を、山折線をヒンジとしてそれぞれ開閉できるようにしたのである。
【発明の効果】
【０００９】
この発明に係る仕切蓋付き包装箱では、仕切壁を介して異なる種類の商品を収納し、その商品に対応した表示を天壁に施しておくと、両側の蓋部のうち、取り出したい商品を表示したものを開くことにより、間違いなくその商品を取り出すことができる。
【００１０】
また、店頭で特にアピールしたい商品に対応する蓋部を開くことにより、その商品だけが店内の客に見えるようにして陳列できる。
【００１１】
また、身箱は、二重側壁を有するトレー状とされているので、蓋部を開いても、強度が保持され、瓶入り化粧品や飲料缶等、重量のある商品の包装にも対応することができる。
【発明を実施するための最良の形態】
【００１２】
まず、この発明の第１実施形態を図１乃至図５に基づいて説明する。
【００１３】
この包装箱は、図１に示すような段ボールのブランクから形成され、身箱１と蓋体２とから成る身蓋分離式とされている。
【００１４】
身箱１のブランクでは、長方形の底壁３の周囲各辺のうち、対向する長辺に側壁４が連設され、短辺に側壁５が連設されている。側壁４は、底壁３から順次繋がる外側板６、頂板７及び内側板８から構成され、側壁５は、底壁３から順次繋がる外側板９、頂板１０及び内側板１１から構成されている。
【００１５】
外側板６及び内側板８の両端には、折曲片１２，１３がそれぞれ連設され、内側板１１の先端両側部には係合突起１１ａが、内側板８の両側には、折曲片１３との境界に沿って先端から係合切込８ａがそれぞれ設けられている。内側板８の先端中央部には、係合切込８ｂが設けられている。
【００１６】
蓋体２のブランクでは、長方形の天壁２１が左右に２分割されて並設され、これらは突き合わせると身箱１の底壁３より一回り大きくなる寸法とされている。各天壁２１の両側には、蓋側板２２が天壁２１と同様に２分割されて連設されている。各天壁２１の外端には蓋側板２３が連設され、蓋側板２２の外端には折曲片２４が連設されている。
【００１７】
隣り合う天壁２１は、仕切壁２５を介して繋がれ、仕切壁２５は、天壁２１の配置方向に並ぶ一対の仕切板２６から構成されている。各仕切板２６と天壁２１との境界は山折線２７とされ、仕切板２６同士の境界には２本の谷折線２８が入れられている。各仕切板２６の突合端寄りの両側部には、係合突起２６ａが設けられている。
【００１８】
いま、身箱１のブランクを組み立てるには、図２に示すように、底壁３から側壁４の外側板６を起こし、頂板７を内側水平方向へ、内側板８を下方へ順次折り曲げ、また、底壁３から側壁５の外側板９を起こし、折曲片１２，１３を内側へ折り曲げ、頂板１０を内側水平方向へ、内側板１１を下方へ折り曲げて、折曲片１２，１３を抱き込み、係合突起１１ａを係合切込８ａに係合させる。
【００１９】
また、蓋体２のブランクを組み立てるには、図３（ａ）に示すように、上下逆転した状態で、天壁２１から蓋側板２２を起こし、折曲片２４を内側へ折り曲げ、天壁２１から蓋側板２３を起こして、折曲片２４を蓋側板２３の内面に貼り付け、図３（ｂ）に示すように、天壁２１同士を接近させつつ、仕切壁２５の仕切板２６同士を重ねて貼り合わせる。これにより、蓋体２には、仕切壁２５を境界とする一対の蓋部２９が形成される。
【００２０】
そして、商品を箱詰めする際には、図２及び図４に示すように、蓋体２を正転させて、身箱１に被せ、係合突起２６ａを係合切込８ｂに係合させる。このとき、箱内には、仕切壁２５を介して、例えば、朝用化粧品と夜用化粧品等、異なる種類の商品を収納し、蓋体２の各天壁２１には、商品に対応した表示を予め印刷等により施しておく。
【００２１】
上記包装箱では、図５（ａ），（ｂ）に示すように、蓋体２の両側の蓋部２９を、山折線２７をヒンジとしてそれぞれ開閉できるので、商品を取り出す際、取り出したい商品を表示した蓋部２９を開くことにより、間違いなくその商品を取り出すことができる。
【００２２】
また、店頭で特にアピールしたい商品に対応する蓋部２９を開くことにより、その商品だけが店内の客に見えるようにして陳列できる。
【００２３】
また、身箱１は、二重側壁４，５を有するトレー状とされているので、蓋部２９を開いても、強度が保持され、瓶入り化粧品や飲料缶等、重量のある商品の包装にも対応することができる。
【００２４】
次に、この発明の第２実施形態を図６及び図７に基づいて説明する。
【００２５】
この包装箱は、図６に示すブランクを、図７に示す形状に組み立てたものであり、商品の収納空間を３分割するために、蓋体２の天壁２１及び蓋側板２２は３分割され、隣り合う天壁２１がそれぞれ仕切壁２５を介して繋がれている。これらの仕切壁２５の係合突起２６ａは、身箱１の各側壁４に２個ずつ設けられた係合切込８ｂに係合している。
【００２６】
このような包装箱では、中央の収納空間を覆う蓋部３０は、蓋体２を身箱１から分離しない限り、開けることはできないので、中央の収納空間に、例えばフェイスタオル等の景品を収納し、両側の収納空間に商品を収納しておくと、景品を簡単には取り出すことができず、開ける際の期待感を高めることができる。
【００２７】
また、蓋体２の両側の蓋部２９は、上記第１実施形態のものと同様、山折線２７をヒンジとしてそれぞれ開閉できるので、商品を取り出す際、取り出したい商品を表示した蓋部２９を開くことにより、間違いなくその商品を取り出すことができる。
【００２８】
なお、この実施形態では、商品の収納空間を３分割したが、同様の構成により、それ以上の個数の空間に分割することができる。
【００２９】
次に、この発明の第３実施形態を図８及び図９に基づいて説明する。
【００３０】
この包装箱は、図８に示すブランクを、図９に示す形状に組み立てたものであり、身箱１の底壁３を六角形とし、蓋体２の天壁２１を六角形が２分割された台形として、外周を六角筒状としたものとされている。
【００３１】
このような包装箱でも、上記第１実施形態のものと同様、蓋体２の両側の蓋部２９は、山折線２７をヒンジとしてそれぞれ開閉できるので、商品を取り出す際、取り出したい商品を表示した蓋部２９を開くことにより、間違いなくその商品を取り出すことができる。
【００３２】
なお、この実施形態では、平面形状が六角形のものを例示したが、同様の構成により、それ以上の多角のものを製作することもできる。
【図面の簡単な説明】
【００３３】
【図１】この発明の第１実施形態に係る包装箱のブランクを示す図
【図２】同上の身箱と蓋体の組立状態を示す斜視図
【図３】（ａ）同上の蓋体の組立過程を上下逆転状態で示す斜視図、（ｂ）同上の蓋体の組立状態を上下逆転状態で示す斜視図
【図４】同上の身箱に蓋体を被せた状態を示す斜視図
【図５】（ａ）同上の一方の蓋部を開けた状態を示す斜視図、（ｂ）同上の他方の蓋部を開けた状態を示す斜視図
【図６】この発明の第２実施形態に係る包装箱のブランクを示す図
【図７】同上の身箱の組立開蓋状態を示す斜視図
【図８】この発明の第３実施形態に係る包装箱のブランクを示す図
【図９】同上の身箱の組立開蓋状態を示す斜視図
【図１０】従来の身蓋分離式の包装箱を示す斜視図
【図１１】従来の仕切蓋付きの包装箱を示す斜視図
【符号の説明】
【００３４】
１  身箱
２  蓋体
３  底壁
４，５  側壁
６  外側板
７  頂板
８  内側板
８ａ，８ｂ  係合切込
９  外側板
１０  頂板
１１  内側板
１１ａ  係合突起
１２，１３  折曲片
２１  天壁
２２，２３  蓋側板
２４  折曲片
２５  仕切壁
２６  仕切板
２６ａ  係合突起
２７  山折線
２８  谷折線
２９，３０  蓋部
【図１】
2009269667.tif 000003
【図２】
2009269667.tif 000004
【図３】
2009269667.tif 000005
【図４】
2009269667.tif 000006
【図５】
2009269667.tif 000007
【図６】
2009269667.tif 000008
【図７】
2009269667.tif 000009
【図８】
2009269667.tif 000010
【図９】
2009269667.tif 000011
【図１０】
2009269667.tif 000012
【図１１】
2009269667.tif 000013